(57)【要約】　　　（修正有）【課題】オゾン発生器とマイナスイオン発生器とを使用用途に応じて容易にそれぞれ制御することができるオゾン及びマイナスイオン発生器を提供する。【解決手段】オゾン発生器（１１）と発生したオゾンを外部に送出させるオゾン用エアポンプ（９）と、トルマリンを用いたマイナスイオン発生器（１２）と発生したマイナスイオンを外部に送出するマイナスイオン用エアポンプ（１０）とからなる。作動時間制御するタイマー（２２）を備え、ふたつのポンプを個別に又は同時に作動させ、オゾン及びマイナスイオンを選択的に又は混合して送出することができる。【選択図】　図３
0003098239.tif 000002
【実用新案登録請求の範囲】
【請求項１】
オゾン発生器（１１）と発生したオゾンを外部に送出させるオゾン用エアポンプ（９）と、トルマリンを用いたマイナスイオン発生器（１２）と発生したマイナスイオンを外部に送出するマイナスイオン用エアポンプ（１０）と、前記オゾン発生器（１１）とマイナスイオン発生器（１２）及びポンプ（９）（１０）を時間制御するタイマー（２２）を備え、前記オゾン発生器（１１）とマイナスイオン発生器（１２）から送出されるホース（２３）（２４）を中途でＹ字管（２５）で繋いで、前記オゾン発生器（１１）とマイナスイオン発生器（１２）を個別に又は同時に作動させ、選択的に又は混合して、オゾン及びマイナスイオンを送出することができることを特徴とするオゾン及びマイナスイオン発生器。
【請求項２】
オゾン及びマイナスイオンを発生させる装置において、所定オゾン分子量を発生させるオゾン発生器（１１）と発生したオゾンを外部に送出させるオゾン用エアポンプ（９）と、所定の負電荷量を有するマイナスイオンを発生するマイナスイオン発生器（１２）と発生したマイナスイオンを外部に送出させるマイナスイオン用エアポンプ（１０）と、前記オゾン発生器（１１）及びオゾン用エアポンプ（９）及びマイナスイオン用エアポンプ（１０）及びオゾン発生表示ランプ（６）及びマイナスイオン発生表示ランプ（７）に電気を供給する電源部（１４）と、電源部（１４）からの電気供給を時間制御するタイマー（２２）とオゾン用エアポンプ（９）により送出されたオゾンを外部に導くための内部オゾンホース（２３）とマイナスイオン用エアポンプ（１０）により送出されたマイナスイオンを外部に導くための内部マイナスイオンホース（２４）と内部オゾンホース（２３）及び内部マイナスイオンホースを集合連結するＹ字管（２５）とオゾン用エアポンプ（９）により送出されたオゾン又はマイナスイオン用エアポンプ（１０）により送出されたマイナスイオンのいずれか少なくとも一方をヘアキャップ（１８）またはウォーターボトル（２１）内の飲料水等に送出させるホース（１５）と、オゾン発生器（１１）及びオゾン用エアポンプ（９）及びオゾン発生表示ランプ（８）を直列連結する回路の開閉切り替えを行う、オゾン発生スイッチ（４）とマイナスイオン発生器（１２）及びマイナスイオン用エアポンプ（１０）及びマイナスイオン発生表示ランプ（７）を直列連結する回路の開閉切り替えを行う、マイナスイオン発生スイッチ（５）とタイマー（２２）と連動したアラーム（１３）を備えてなることを特徴とするオゾン及びマイナスイオン発生器。
【請求項３】
前記マイナスイオン発生器（１２）は、トルマリン小塊又は粉末が内部に収納されたコンパクトな箱体から成ることを特徴とする請求項１又は請求項２に記載のオゾン及びマイナスイオン発生装置。
【請求項４】
前記ホース（１５）の端部には液体又は気体がホース（１５）内に進入しない気体逆流阻止機構（１６）又は液体逆流阻止機構（１７）をもつことを特徴とする請求項２又は請求項３のいずれかに記載のオゾン及びマイナスイオン発生器。
【請求項５】
前記マイナスイオン発生器（１２）が、オゾン発生器の上に接着し重ねられる構成など、オゾン発生器（１１）近傍に設けられたことを特徴とする請求項１〜請求項４のいずれかに記載のオゾン及びマイナスイオン発生器。
【請求項６】
前記ヘアキャップ（１８）は、頭頂部付近に開口部を持ち、半球吸入口（２０）が挿入され、スペーサー（１９）によって半球吸入口（２０）はヘアキャップ（１８）に半固定されていることを特徴とする請求項２〜請求項５に記載のオゾン及びマイナスイオン発生器。
【考案の詳細な説明】
【０００１】
【考案の属する技術分野】
本考案は、オゾン発生器とマイナスイオン発生器を用途に応じてそれぞれまたは同時に使用することができ、多様な機能を容易に使い分けることができるオゾン及びマイナスイオン発生器に関するものである。
【０００２】
特に本考案は、ヘアカラー、ヘアパーマ、ヘアーダイ等の分野で、オゾン分子量とイオン電荷量との相関関係を調整して、パーマ施術の経済性のみならず頭髪頭皮保護目的に沿うように適切に調整し使い分けることができるもので、オゾン分子量とイオン電荷量の管理可能手段を設けたオゾン及びマイナスイオン発生器に関するものである。
【０００３】
【従来の技術】
ヘアカラー、ヘアパーマ等溶液により頭髪にパーマを施す装置の中で、その装置の全部若しくはその一部として用いられているオゾン発生装置は、オゾンの持つ非常に強力な化学的特質である酸化力を利用して、ヘアカラー溶液、ヘアパーマ溶液の頭髪への吸着性を増加するもので頭髪パーマ施術処理時間を大幅に短縮しよって経済効率を高め、更にその品質向上をもはかることができる利点があることから採用されている。
【０００４】
実用のオゾン発生装置は、その発生メカニズムとして多様な方法がとられている。例えばオゾンは，化学反応，光化学反応，などでも生成するが，密閉した容器の放電反応（無声放電）中で発生させるものなどがある。これらによる差異は、オゾン発生分子量、イオン発生の有無、オゾン分子量の管理性に影響するものの、いずれにしてもオゾン発生装置によりオゾンを発生させるものである。
【０００５】
美容院や理容室などのサロンでは、酸化して成立する技術がある。パーマ等の薬品処理やアイロンのような熱処理技術があり、それらは髪を酸化させておこなう技術である。
頭髪パーマ施術では、そのオゾン環境を形成したり、オゾンを溶液に溶かしたのちそれを媒介として頭髪に浸透させて頭髪を酸化するものである。
オゾンは溶液、例えば水溶液になじみやすくまた、ヘアカラー、ヘアパーマに対して、特別補助器材を用いることで、品質面において実用上ある一定の効果をあげていた。
【０００６】
一方、ヘアカラー、ヘアパーマ等溶液により頭髪にパーマ施術を施す装置の中で、その装置の全部若しくはその一部として用いられているイオン発生装置は頭髪頭皮そのものの保護育成を図ることができる利点があるため用いられている。
【０００７】
実用のイオン発生装置は、イオン発生装置によりイオンを発生させ、ポンプ、風車等送風機器により高濃度イオン含有気体として頭皮、頭髪に直接吹きつけたり、やはり溶液に溶解して頭髪に浸透させて利用するものである。
【０００８】
イオンは水になじみやすくオゾンとは逆に身体に対して毒性が少ないため空気中に放散することでむしろ事態にとって好影響であり、実用上もイオンのもつ固有の頭髪頭皮保護機能に対する一定の効果はあげていた。
【０００９】
ところが、従前はオゾン、イオンの一面の効果のみ過度に注目し、オゾン、イオンをとにかく出せばよいという発想のものばかりであり、ヘアカラー、ヘアパーマ等の分野においてプラス効果を最大限にしつつ両者の効果の組み合わせによってマイナス効果をも減少させる研究は注目されてこなかった。
むしろオゾン、イオンによる頭皮頭髪への影響は不確かなものとして扱われていたといえる。
【００１０】
これは、オゾン、イオンは発生できてもそれを正確に管理することはむずかしいと考えられてきた面があるからである。
しかし、頭髪に対しては、可及的にマイナス効果を積極的に減少させることが大切である。つまり酸化は必要であるが、最小限必要限度で抑え、次に髪のために抗酸化をタイミングよく行うことが要請されてきている。
【００１１】
【考案が解決しようとする課題】
そこでまずオゾン発生装置に関して、ヘアカラー又はヘアパーマ溶液を頭髪に浸透させる以前に適度に頭髪或いは頭髪の周囲雰囲気を酸化させ、またそのためにオゾン分子量を調整、微調整する必要性がある。
それは、ヘアカラー、ヘアパーマの品質向上という単一な観点のみならず、頭皮、頭髪保護というオゾンの本来の効果とは全く異なる効果をも含めた考察及び繰り返し行われた実験、検討に基づいて判明した。
この点溶液に溶解されたオゾンの分子量は溶液の溶解率等により変わりうることから、頭皮、頭髪への影響もそれによって変化し、また頭皮、頭髪にする浸透時間においても影響を受け変化する。
【００１２】
このことから実際にパーマ施術を施す技術者の個別技術能力、及びそのとき使用される溶液の酸化力によりむしろ髪を傷めてしまうという課題もあった。
パーマネント技術の日々の向上や均質性が要請される競争の厳しい中、この課題は特に均一の施術品質の提供により継続的な信用を得ることが必須のパーマネント業界において大きな課題といえる。
具体的には、経験の浅い補助者や美容技術者によっては、経験則不足で顧客の髪質に対応した判断が難しく、パーマネント時間が必要以上にかかり、結果的に髪を傷めてしまうなどの問題点があった。
技術の習熟度にあまり影響されないで、オゾン発生装置により発生したオゾン分子量を積極的に管理する必要性があった。
【００１３】
次にイオン発生装置に関して、マイナスイオンは電荷的に非常に不安定な状態でありその面で量管理がむずかしく発生させたマイナスイオンの拡散、消滅等により有効に利用しきれていないという課題がある。
マイナスイオンの固有の効果とする頭皮頭髪保護機能においては、確かにその量的減少は、効果は薄れるものの大きな不都やデメリットはないともいえる。しかしオゾンにより酸化された頭皮をマイナスイオンにより酸化を止め中和する酸化還元効果を考慮すると、量的管理が非常に重要な要素となる。
パーマ等において必要な髪を施術加工するという要素と、髪を保護するという一見矛盾した２つの要素を高めることは、簡単な課題ではない。
【００１４】
そして、単に、個別のオゾン発生器と個別のマイナスイオン発生器それぞれを、単なる結合とするだけでは特別の効果は認められず、実用性がなかったといってよい。
オゾンによる効果、イオンによる効果いずれも必要であり、頭髪パーマ施術目的のためのオゾン発生量と頭皮保護を主目的とするマイナスイオン発生量とのバランスがとれないことに問題があった。
【００１５】
この問題の対応は、二つの要素に分解できるものである。一つがそれぞれの効果にもっとも適した量を管理できるようにすることであり、もうひとつは管理可能であることを前提として、その均衡をはかることである。
以上本考案は上記の従来例の課題に鑑みて考案されたものである。
【００１６】
【課題を解決するための手段】
上記課題を解決するために本考案のオゾン及びマイナスイオン発生器（１）は、オゾン分子量、マイナスイオンの負電荷量、それぞれを管理可能とするため、タイマーによりそれぞれの発生送出時間を管理することで発生量を管理し、更にヘアキャップ（１８）を利用することで発生後の使用量をも管理し頭皮、頭髪に最適な希望通りのオゾン及びマイナスイオンを送出、調整することを最も主要な特徴とする。
【００１７】
本考案装置では、ギャップ放電反応によるオゾン発生器（１１）とトルマリンによるマイナスイオン発生器（１２）を近傍に具体的には上下に重ねた配置で設置することで、オゾンとイオンの同時発生に際して、マイナスイオンの発生量が増加する構成にしたことを特徴とする。
【００１８】
これは実用性から、オゾン発生器（１１）及びマイナスイオン発生器（１２）のコンパクト性が求められており、より小さな装置で最大限の効果を及ぼすものであり、オゾン生成にともなうギャップ放電反応によるオゾン発生器（１１）からの発熱、又は振動のいずれか少なくとも一つにより、トルマリンを使用したマイナスイオン発生器（１２）から発生するイオンを増加させるものである。
トルマリンに着眼して、それにポンプによる風とともに振動や熱を与えることでイオン発生がより増加することは、機械構成上余裕を生み出すため非常に重要な考察である。
イオンは空気中でのコンパクトな装置ではその送出量が限定されており、このままでは必要量に足りずイオン送出絶対量を増やす必要性と、オゾンを管理可能な方法で減らす必要性がある。
【００１９】
ここに本考案は、オゾン発生器（１１）と発生したオゾンを外部に送出させるオゾン用エアポンプ（９）と、トルマリンを用いたマイナスイオン発生器（１２）と発生したマイナスイオンを外部に送出するマイナスイオン用エアポンプ（１０）と、前記オゾン発生器（１１）とマイナスイオン発生器（１２）及びポンプ（９）（１０）を時間制御するタイマー（２２）を備え、前記オゾン発生器（１１）とマイナスイオン発生器（１２）から送出されるホース（２３）（２４）をＹ字管（２５）で中途で繋いで、前記オゾン発生器（１１）とマイナスイオン発生器（１２）を個別に又は同時に作動させ、選択的に又は混合して、オゾン及びマイナスイオンを送出することができることを特徴とするオゾン及びマイナスイオン発生器である。
【００２０】
大きな特徴としてはポンプを２つ設けた点にもある。後述するが、ポンプを１つだけにして、本装置と類似の構成でパーマを施術してもうまくいかず、本考案の構成のように、個別に選択的に又は混合を可能にしてはじめてパーマがうまく行えた。
【００２１】
オゾン及びマイナスイオン発生器は、遠赤外線を発する専用のヘアキャップ（１８）に接続して用いられる。
ヘアキャップ（１８）は、頭に被る柔軟な合成樹脂製のキャップであり、内部に遠赤外線を発するセラミック混合炭素粉末塗料を斑点状に塗布して、ある程度しっかり頭を密着するようなゴム入りの開口縁を形成したものである。
その頭頂部付近には頭皮頭髪にスムーズにマイナスイオン又はオゾンを誘導し、かつ、過剰なオゾン分子量をヘアキャップ（１８）外へ送出するためスペーサー（１９）及び半球吸入口（２０）を設けている。
【００２２】
又、前記オゾン及びマイナスイオン発生器（１）本体内に設けられたオゾン発生器（１１）とマイナスイオン発生器（１２）は、コンパクトな箱体内に収納され、放熱影響、振動影響、電界影響、磁界影響を相互若しくは一方的に受け得る程度に上下、左右、前後、これらの組み合わせのいずれかを満たす近傍に設けられる。
マイナスイオン発生率、又はオゾン発生率のいずれか少なくとも一方が増加若しくは減少するような影響を及ぼすように配置している。
【００２３】
実施例装置ではトルマリンを用いた前記マイナスイオン発生器（１２）が、オゾン発生器の上に接着し重ねた構成にしている。
オゾン発生器（１１）の近傍に設けることで、オゾン発生器（１１）の発生する振動や光、加熱で、トルマリンは物理的電気的刺激を受けて、マイナスイオンを効率よく発生する。
【００２４】
箱体の形状は効率的にその影響を及ぼし、受けることができるように、その接面の形状は曲面、波状、凸凹、Ｓ字型であってもよく、筒状のように囲まれていてもよい。
互いに完全に接している必要もなく、安定した発生率を確保するため両箱体外周若しくはそれぞれの一部若しくは全部のいずれか少なくとも一つに媒介物を挿入してもよい。媒介物は伝熱材が好ましい。排気ファンを設けて低圧環境を形成してもマイナスイオンの生成には好ましい。
【００２５】
それぞれの箱体は一つである必要はなく、効率的なオゾン又はマイナスイオン発生のため複数の箱体に分散され互いに、直列若しくは並列の組み合わせで連結されてもよい。
【００２６】
箱体内において特に空気流速が高まるように箱体より送出される側の内部オゾンホース（２３）又は内部マイナスイオンホース（２４）にサブチャンバーを設けてもよい。又内部オゾンホース（２３）又は内部マイナスイオンホース（２４）をおおきい径にして用いてもよい。
尚、オゾンを含む空気は、酸化腐食作用があり、金属製の部材に触れない様な設計上の配慮が必要である。
【００２７】
前記キャップ（１８）は、頂部に接続器具としては半球吸入口（２０）を設け気体通過部として頭髪全体に効率的に気体を行き渡らせるためにヘアキャップ（１８）と頭部との間に空間を設けるようスペーサー（１９）が備えられている。
ヘアキャップ（１８）はマイナスイオンを吸収しない素材であることが望ましい。
【００２８】
通過部はヘアキャップ（１８）内に過剰に送出され蓄積された場合でも機能するように、オゾンをヘアキャップ（１８）外に送出するため、半球吸入口（２０）とヘアキャップ（１８）との間に若干の隙間を設けている。
このほか、どのような内圧調整機構を設けても良い。
通常は半球吸入口（２０）に取り付けられたスペーサー（１９）の重量により半球吸入口（２０）がヘアキャップ（１８）に押さえつけられているが、完全にヘアキャップ（１８）内にオゾンが満たされた場合は隙間からオゾンが少し送出される仕組みになっている。但しこの隙間は必須のことではない。実際は髪の隙間から少しずつ漏れてゆく。
【００２９】
一度ヘアキャップ（１８）内に進入した気体がオゾン及びマイナスイオン発生器（１）本体に逆流しないように気体逆流阻止機構（１６）が、ホースのいずれか少なくとも一つの端部に設けられている。
気体が逆流しないため、ヘアキャップ（１８）内に留め置かれたオゾンはイオン気体によって押し出され隙間から一定量送出されるため、オゾン濃度が減少する。
【００３０】
オゾン及び又はマイナスイオンを供出先としてウォーターボトル（２１）内の飲料水とした場合には、気体送出停止時に飲料水がオゾン及びマイナスイオン発生器（１）本体に逆流しないように液体逆流阻止機構（１７）が、ホース（１５）のいずれか少なくとも一つの端部に設ける。
【００３１】
【考案の実施の形態】
本考案に係るオゾン及びマイナスイオン発生器（１）は、上記のような発想に基づくが、以下そのオゾン及びマイナスイオン発生器（１）の実施の一形態を示す添付図面に基づいて説明する。
【００３２】
図１は、オゾン及びマイナスイオン発生器（１）の一実施例を示すもので右斜め上から眺めた斜視図である。
オゾン及びマイナスイオン発生器（１）は、オゾン発生器（１１）と発生したオゾンを外部に送出させるオゾン用エアポンプ（９）と、トルマリンを用いたマイナスイオン発生器（１２）と発生したマイナスイオンを外部に送出するマイナスイオン用エアポンプ（１０）と、前記オゾン発生器（１１）とマイナスイオン発生器（１２）及びポンプ（９）（１０）を時間制御するタイマー（２２）を備え、前記オゾン発生器（１１）とマイナスイオン発生器（１２）から送出されるホース（２３）（２４）を中途で繋いでＹ字管（２５）とし、前記オゾン発生器（１１）とマイナスイオン発生器（１２）を個別選択的に又は同時に作動させることができることを特徴とする。
【００３３】
前記オゾン発生器（１１）は、石英やガラスなどからなる円筒形の誘電体と、誘電体の外部に一定の間隔で構成されたバネ状の導体からなる外部電極と、誘電体の内部に外部電極と同一の形態で設けられた内部電極とを一定の形態で固定したものである。
ギャップ放電作用でオゾンを連続的に瞬時に発生する。オゾン発生器（１１）は、コロナ放電方式オゾン発生器など市販の小型化されたものも利用できる。
【００３４】
マイナスイオン発生器（１２）は、トルマリン小塊又は粉末が内部に収納されたコンパクトな箱体から構成している。
トルマリン小塊は、直径５ミリほどの塊にトルマリン鉱石を破砕したもので、ある。微粉末が内部マイナスイオンホース（２４）へ排出されないように、箱体内には通気姓の高いフィルターを設けている。
トルマリンは、空気の振動や、熱、エアポンプからの流入風で、マイナスイオンを発生する。
【００３５】
オゾン及びマイナスイオン発生器（１）本体の前面部には左より、タイマー機能を内蔵したタイマー設定つまみ（３）、押しボタン型のオゾン発生スイッチ（４）、押しボタン型のマイナスイオン発生スイッチ（５）、を設けている。
タイマー（２２）が作動していないときは電源部（１４）により電気が供給されないため、オゾン発生スイッチ（４）、マイナスイオン発生スイッチ（５）いずれのボタン動作によっても、通電しない仕組みであり、オゾン、イオンは発生しない。
この理由は、前述で説明したように、無制限なオゾン、イオン発生はその両者との関係として捉えた場合には特に不必要であり、制限的使用が大切であることが理由である。
ただし、他の用途に個別に使用するばあいは、タイマー（２２）動作とは別に動作するように構成することは可能である。
【００３６】
オゾン発生時にはオゾン発生表示ランプ（６）であるケース前面の「Ｏ３」表示が点灯しオゾンの発生を明示的に知らせる。
この表示は、オゾンには身体に対する影響作用が認められるためであり、告知しておくことは非常に重要な機能である。
【００３７】
タイマー（２２）が切れると、自動的にアラーム（１３）で報知し、アラーム（１３）は「ピッピ」鳴り響き、オゾン発生或いはイオン発生は終了する。
オゾン及びマイナスイオン発生器（１）本体の前面部右には気体送出口（８）が設けられており、ここからイオン、又はオゾン、又はイオンとオゾンの混合気体が送出される。
【００３８】
タイマー（２２）終了によりその送出が報知されると、同時に送出作用は停止する。
ホース（１５）には、気体又は液体の逆流を防ぐために気体逆流阻止機構（１６）又は液体逆流阻止機構（１７）が設けられているので、停止により逆流することはない。
【００３９】
図２はオゾン及びマイナスイオン発生器（１）本体の上部蓋を開けた状態の内部構造図である。
気体送出装置としてオゾン用エアポンプ（９）とマイナスイオン用エアポンプ（１０）の二つが設けられておりそれぞれが全く影響を受けることなく動作することができる。
オゾン用エアポンプ（９）とマイナスイオン用エアポンプ（１０）の配置は、並列でも縦列でも差し支えない。
二つのポンプ（９）と（１０）の設置が、実際のパーマやヘアーダイ施術では、優れた効果を奏している。
【００４０】
又ポンプに関して兼用方式を採らずに別個にすることで、オゾン分子量、マイナスイオン電荷量が、所望量得られかつその均衡を容易に調整することが可能になっているからである。
【００４１】
本考案では、オゾン発生器（１１）の上にトルマリンを用いたマイナスイオン発生器（１２）が密着されて設けられている。
相互に影響しあう配置に近接して配置することで、安定して所定量を送出できるものとなっている。
オゾン発生器による発熱、振動、電界、磁界によりイオン発生の効果が格段に高まる。
【００４２】
オゾン発生器（１１）、及びマイナスイオン発生器（１２）からオゾン及びマイナスイオンを送出する内部オゾンホース（２３）と内部マイナスイオンホース（２４）はＹ字管（２５）により集合合体され相互の気体流出速度を高めイオンをより多く早く送出することが可能である。
【００４３】
図３はオゾン及びマイナスイオン発生器（１）のホース（１５）又は内部オゾンホース（２３）又は内部マイナスイオンホース（２４）の経路図と電気回路図である。
オゾンは身体に悪影響を及ぼす可能性があるため、その送出時には明示する必要性、重要性があり、タイマー（２２）とオゾン発生スイッチ（４）のいずれもが作動している場合に大きく目立つオゾン発生表示ランプ（６）にて表示する。
オゾンにより髪を酸化させた後、迅速に中和処理する必要性が高くタイマー（２２）終了時、アラーム（１３）がなるような電気回路になっている。
【００４４】
図４はオゾン及びマイナスイオン発生器（１）本体の異なる使用例図である。
対象物は、頭皮頭髪に限られず、例えば飲料水でもよい。
飲料水においてオゾンの酸化作用により殺菌し、イオンによりその酸化を還元するものである。
飲料水に限らず、各種の野菜や果物類の先浄水としても有用である。
液体に用いうる場合は、ホース（１５）には、オゾン又はイオンの供出による水の浄化イオン化の終了後、水がオゾン及びマイナスイオン発生器本体に逆流しないように液体逆流阻止機構（１７）が設けられている。
【００４５】
図５はヘアキャップ（１８）使用状態の一部断面図である。
スペーサー（１９）によって頭皮頭髪とヘアキャップ（１８）とに隙間をもたせている。
この隙間によりオゾンが全方向に流れ、頭皮頭髪全体にオゾン効果、マイナスイオン効果を行き渡らせることができる。
尚、ある一定の圧力になるとスペーサー（１９）が持ち上がりヘアキャップ（１８）から半球吸入口（２０）を浮き上がらせて若干の隙間ができオゾンを逃がすことができる。
【００４６】
図６はウォーターボトル（２１）への使用状態断面図である。
ウォーターボトル（２１）内の飲料水をオゾンで殺菌したのちにイオン化することができる。
タイマー（２２）終了時、水が逆流しないように液体逆流阻止機構（１７）がホース（１５）端部に取り付けられている。
【００４７】
【考案の効果】
本考案のオゾン及びマイナスイオン発生器は、次のような技術的効果がある。
（１）　　タイマー（２２）とヘアキャップ（１８）を組み合わせることにより、オゾン分子量とマイナスイオン負電荷量とを管理することが可能となり、技術者の能力に左右される要素を少なくし、ヘアパーマ、ヘアカラーの施術をより容易に行うことができる。
本考案のオゾン及びマイナスイオン発生器は、例えばパーマ染毛のときに、５分オゾンを送出し、パーマ施術、５分混合風（混合では酸化は定着しない）を送出し、５分マイナスイオン風（抗酸化）をあてるという順応的使い方ができる。パーマが終わったらすぐ抗酸化させることで髪を傷めることも少ない。
（２）　　オゾン及びマイナスイオンの送出媒介物として空気を使用するため制約が少なく、全体としてもヘアカラー及びヘアパーマのコストが安く済む。
（３）　　ヘアカラー及びヘアパーマ溶液を使用する前に、髪をオゾンにより正確な分子量（送出時間設定）により適切に酸化させることで綺麗な艶をもち、しっかりと処理することができる。
（４）　　髪をオゾンにより酸化させることで、ヘアカラー及びヘアパーマの効きを良くして、かつより短時間に終わらせることができる。時間的には従前の半分程度に短縮できた。
（５）ヘアカラー及びヘアパーマ後、マイナスイオンを送出することで、頭髪頭皮の酸化状態をすばやく解消し、ヘアカラー及びヘアパーマによる頭皮頭髪へのダメージを最小限にすることができる。
（６）オゾン及びマイナスイオン発生器は、タイマーで所定時間連続してオゾンかマイナスイオンを選択的又は混合して水に送出して、所定効果のあるマイナスイオン水を作成できる。カルキ臭を除去して、飲料水や美容水、野菜等の食品の先浄水の生成器としての用い方も出来る。
（７）風呂水に送出することで、殺菌やマイナスイオン化ができるので、いわゆる沸き直して数度入っても清潔な風呂水を維持できる。
【００４８】
以上のように、本考案に係るオゾン及びマイナスイオン発生器は、いろいろな分野に利用できるもので、優れた効用のある新規製品である。
特に理美容分野におけるのパーマ染毛技術の安定と、技術の品質の向上に大きく寄与するものであり、きわめて実用的な考案である。
【図面の簡単な説明】
【図１】本考案に係るオゾン及びマイナスイオン発生器（１）の一実施例を示すもので送出口にホース（１５）を接続した状態の全体斜視図である。
【図２】本考案に係るオゾン及びマイナスイオン発生器（１）の上部蓋（２）を開けた状態の内部構造全体図である。
【図３】本考案に係るオゾン及びマイナスイオン発生器（１）の内部オゾンホース（２３）及び内部マイナスイオンホース（２４）の経路図と電気回路図である。
【図４】本考案に係るオゾン及びマイナスイオン発生器（１）本体と、ウォーターボトル（２１）内の飲料水又はヘアキャップ（１８）とをホース（１５）にて連結した場合の使用図である。
【図５】本考案に係るオゾン及びマイナスイオン発生器（１）に接続されるヘアキャップ（１８）を一部円形に切開した使用状態を示す一部断面図である。
【図６】本考案に係るウォーターボトル（２１）使用状態の断面図である。
【符号の説明】
１　　オゾン及びマイナスイオン発生器
２　　蓋
３　　タイマー設定つまみ
４　　オゾン発生スイッチ
５　　マイナスイオン発生スイッチ
６　　オゾン発生表示ランプ
７　　マイナスイオン発生表示ランプ
８　　気体送出口
９　　オゾン用エアポンプ
１０　マイナスイオン用エアポンプ
１１　オゾン発生器
１２　マイナスイオン発生器
１３　アラーム
１４　電源部
１５　ホース
１６　気体逆流阻止機構
１７　液体逆流阻止機構
１８　ヘアキャップ
１９　スペーサー
２０　半球吸入口
２１　ウォーターボトル
２２　タイマー
２３　内部オゾンホース
２４　内部マイナスイオンホース
２５　Ｙ字管
【図１】
0003098239.tif 000003
【図２】
0003098239.tif 000004
【図３】
0003098239.tif 000005
【図４】
0003098239.tif 000006
【図５】
0003098239.tif 000007
【図６】
0003098239.tif 000008